(57)【要約】      （修正有）【課題】一枚のパネルで、高い断熱効果を持ち、壁体内での結露の防止が可能で、防音効果の優れた積層パネルを提供する。【解決手段】積層パネル１は、四方枠２ａを設けた木質合板２の内面と、押し出し法ポリスチレンフォーム３の内面を発泡させた低発泡ウレタン４で接着して厚みＴをもたせてなるものである。木質合板２の内面に低発泡ウレタンを専用吹き付けガンにて吹き付け発泡させて押し出し法ポリスチレンフォーム３を接着するものである。【選択図】図１
0003137321.tif 000002
【実用新案登録請求の範囲】
【請求項１】
合板の内面と、押し出し法ポリスチレンフォームの内面を、厚みを有する低発泡ウレタンで接着してなることを特徴とする積層パネル。
【請求項２】
押し出し法ポリスチレンフォームの外面を、厚みを有する低発泡ウレタンで接着すると共に、他の合板の内面を接着させることを特徴とする請求項１記載の積層パネル。
【請求項３】
押し出し法ポリスチレンフォームの外面に、モルタルを塗布する事を特徴とする請求項１記載のパネル。
【考案の詳細な説明】
【技術分野】
【０００１】  本考案は、建築用壁、屋根、床などの下地材に使用する断熱・防音効果のある積層パネルに関するものである。
【背景技術】
【０００２】  従来、木造住宅の壁面、屋根、床面、天井用の断熱材として、グラスウールやボード状のポリスチレンフォームが広く使われている。【０００３】  しかし、グラスウールは、吸湿等によって断熱材の特性が経時的に低下してしまう致命的な欠陥がある。【０００４】  ボード状ポリスチレンフォームは、断熱の特性に優れているが、自立しないし、施工上金物で固定しても隙間を埋める事が出来ないので、気密性が悪く、外気温の影響を必ず受けることになり、外断熱としては不備がある。【０００５】  そのため防音断熱材料を芯材として両面に木質繊維合板を接合し、木質繊維合板の上にプラスタータボードを接合した建築用フリーパネルなども既に考案されている。（特許文献１参照）【０００６】  また、発泡体と構造用集成材や、構造用合板と接合し遮音効果や、断熱効果を上げるパネルも考案されている。（特許文献２参照）
【特許文献１】特願２０００−８１６７号公報
【特許文献２】特願平９−２５７１７８号公報
【考案の開示】
【考案が解決しようとする課題】
【０００７】  上記特許文献１においては、内壁パネルの断熱材のため、外壁内部では、外気温がそのまま影響し熱されたり、冷やされたりするのであるから、結露を防ぐ事が出来ない。そのため、建築構造物の劣化やカビ・ダニの発生を防ぐ事は出来ないといえる。【０００８】  上記特許文献２においては発泡体と構造用集成材や構造用合板の接合で断熱や遮音の効果を上げる事にはなるが、気密性があるかどうかが不明であり、熱貫流抵抗値や遮音の透過損失の数値が不明である。【０００９】  本考案は、上記のような従来の構成が有する問題点を解決しようとするもので、その目的は、一枚のパネルで、高い断熱効果を持ち、壁体内での結露の防止が可能で、防音効果の優れた積層パネルを提供するものである。
【課題を解決するための手段】
【００１０】  本考案は、上記目的を達成するために、例えば針葉樹構造用合板の内面と、押し出し法ポリスチレンフォームの内面を、厚みを有する低発泡ウレタンで接着する事を特徴とする積層パネルを用いるものである。
また、請求項１で示した積層パネルの上（押し出し法ポリスチレンフォームの外面）に更に厚みを有する低発泡ウレタンで接着し、かつ、木質構造用合板を接着させることを特徴とする積層パネルを用いるものである。
さらに、請求項１の積層パネルの上（押し出し法ポリスチレンフォームの外面）にモルタルを塗布することを特徴とする積層パネルを用いるものである。
【考案の効果】
【００１１】１）  外壁に使用した場合、外気温が外壁内部に影響しないので、熱されたり、冷やされ    たりする事がなく、結露を引き起こす原因がない状態を形成する。そのため、建築構    造物の劣化が極力抑止され、カビ・ダニの発生を防ぐ状態を形成する。（請求項１〜    ３）
２）従来工法で立てた１階平屋（締め切りの状態）は外の湿度、温度に影響されるが、請    求項２で示す積層パネルを屋根、壁、床に使用した場合、２階小屋裏（締め切りの状    態での測定）は外の湿度、温度に影響されない環境を形成する。
３）請求項３で示す積層パネルを外壁に使用した場合、実験結果を表３に示すとおりＤＲ    ３４の範囲を確保している。低発泡ウレタンを接着剤として使う事で、防音効果と断    熱効果が上がる状態を形成している。これは、家の中でのピアノの大きな音は外にか    すかに聞こえる程度に遮られ、反対に外で地下鉄の騒音のような大きな音がしても、    家の中ではかすかに聞こえる程度に遮られるという数値である。テレビや人の会話な    どは外には聞こえないという数値であり防音効果は高い。
４）また請求項３で示す積層パネルを外壁に使用した場合、外気温や湿度が外壁内部に影    響しないため、モルタルに受けた熱が外壁内部に伝わらず、温度差を生じる事が無い    ので、外壁にクラックができない。
尚、押し出し法ポリスチレンフォームと、モルタルとの結合については、使用の結果    強力な接着を確認した。これまで、断熱のため、基礎床に押出法ポリスチレンフォー    ムを敷き、その上にモルタルを流し込むという事はよくあるが、壁材として押し出し    法ポリスチレンフォームにモルタルを直に塗布する方法は新しい。
５）低発泡ウレタンの厚みは状況に応じ変えることが出来るので、地域の実態に合わせた    り要望に応じたりできる積層パネルを製作する事が出来る。
６）針葉樹構造用合板を使用した場合、住居の構造の耐力を強化する効果があるので、地    震などに強い構造を形成する。
【考案の実施するための最良の形態】
【００１２】  積層パネル１は、四方枠２ａを設けた木質合板２の内面と、押し出し法ポリスチレンフ  ォーム３の内面を発泡させた低発泡ウレタン４で接着して厚みＴをもたせてなるもので  ある。
低発泡ウレタン４としての性状は、一例として熱伝導率４０ｍｗ／ｍ・ｋ、燃焼性Ｂ３、圧縮強度６０ｋＰａ、吸水率、０．３ｖｏ１％、引張強度１５％、せん断強度６５ｋｐａ，曲げ強度１９０ｋｐａ、発泡倍率１３０〜１４０％の物を使用する。
押し出し法ポリスチレンフォーム３の性状は、一例として熱伝導率４０ｍｗ／ｍ・ｋ、圧縮強度１６０ｋＰａ、曲げ強度２００ｋｐａの物を使用する。
木質合板２の内面に低発泡ウレタンを専用吹き付け付けガンにて吹き付け発泡させて押し出し法ポリスチレンフォーム３を接着するものである。（図１参照）
尚、上記積層パネル１の透過損失のデータを表１に表す。
【００１３】
【表１】
0003137321.tif 000003
0003137321.tif 000004
【００１４】  上記表１にあるように、人間が聞こえる周波数（Ｈｚ）は５００Ｈｚ〜２ＫＨｚで有り、例えば音源側が５００Ｈｚ（８２．５ｄＢ）の時、受音側は５６．４ｄＢであり、３２％カット（減少）している。又、音源側２ｋＨｚ（８８．８ｄＢ）の時受音側は５７．８ｄＢであり、３５％カット（減少）している。
【００１５】  つぎに、積層パネル２１は、四方枠２２ａを設けた木質合板２２の内面と押し出し法ポリスチレンフォーム２３の内面を発泡させた低発泡ウレタン２４で接着して厚みＴ１を持たせ、接着した積層パネル（１）の上（押し出し法ポリスチレンフォーム２３の外面）に更に発泡させた低発泡ウレタン２４Ａで接着して厚みＴ２を持たせ、木質合板２２Ａを接着させる物である。（図２参照）
尚、上記積層パネル２の透過損失のデータを表２に表す。
【００１６】
【表２】
0003137321.tif 000005
0003137321.tif 000006
【００１７】  上記表２にあるように、人間が聞こえる周波数（Ｈｚ）は５００Ｈｚ〜２ＫＨｚで有り、音源側が５００Ｈｚ（８４．４ｄＢ）の時、受音側は５６．８ｄＢであり、３２％カット（減少）している。又、音源側２ｋＨｚ（８９．９ｄＢ）の時受音側は６１．１ｄＢであり、３２％カット（減少）している。これも、非常に高い透過損失を示している。
【００１８】  つづいて、積層パネル３１において外壁として直接施工するもので、押し出し法ポリスチレンフォーム３の外面にモルタルＭを塗りつけてなる物である。（図３参照）
取り付け位置は既存壁Ｋや柱Ｈに直付けするものである。
尚、積層パネル３１の透過損失のデータを表３に表す。
【００１９】
【表３】
0003137321.tif 000007
0003137321.tif 000008
【００２０】  上記表３にあるように、人間が日常生活で聞こえる周波数（Ｈｚ）は５００Ｈｚ〜２ＫＨｚで有り、音源側が５００Ｈｚ（８３．０ｄＢ）の時、受音側は４７．５ｄＢであり、４３％カット（減少）している。又、音源側２ｋＨｚ（８９．３ｄＢ）の時受音側は５４．１ｄＢであり、３９％カット（減少）している。
【００２１】  外壁の実施例を示したが、モルタルＭでも、ケイカル板ＫＫでも、プラスターボードＰでも施工が出来るのも特徴のひとつである。
【００２２】  尚、上記各積層パネルの用途としては次のようなことが考えられる。
１）高い防音効果があるので交通量の多い道路に面した建物、鉄道に面した建物、空港近    辺の建物等の様に騒音被害を被り易い所には最適である。
２）一部屋だけの施工たとえば介護室への施工で室温や湿度を安定させるため、病人など    への体の負担を少なくすることができる。
３）また、カラオケルーム・オーディオルーム・楽器演奏室など周りに迷惑をかけないで    音を楽しむことができる。
４）積層パネルは防音ばかりでなく、吸音効果があるので室内で音が反響しないため、居    室の人への負担がかからない。また、防音扉の製作も可能である。
５）屋根に施工をすることで、外気温や、外の湿気に左右されない屋根裏が実現できるの    で、空間の有効な活用ができる。
６）家全体の施工により夏のクーラーや冬の暖房についての経費は削減される。
７）プレハブ建物、スチール製物置、鉄骨建物にも施工可能である。特に、スチール製物    置などに施工すると、外気温に左右されない物置小屋ができる。リフォームにも対応    できるので用途は多岐にわたっている。
８）施工側からは、ひとつのパネルで断熱・防音・耐力の施工ができるので、工期の短縮    につながり、考案した積層パネルは軽量（２０キロ程度）であるので、施工上扱いや    すい。
【図面の簡単な説明】
【００２３】
【図１】本考案の第１実施例を示す積層パネルの縦断正面図。
【図２】本考案の第２実施例を示す積層パネルの縦断正面図。
【図３】本考案の第３実施例を示す積層パネルの縦断正面図。
【符号の説明】
【００２４】    １――積層パネル
２――木質合板
２ａ―四方枠
３――押し出し法ポリスチレンフォーム
４――低発泡ウレタン
５――木質枠材
Ｔ――厚み
Ｍ――モルタル
Ｋ――既存壁
Ｈ――柱
ＫＫ―ケイカル板
Ｐ――プラスターボード
【図１】
0003137321.tif 000009
【図２】
0003137321.tif 000010
【図３】
0003137321.tif 000011